(57)【要約】    【課題】  温水洗浄器本体を便器から取外すことなく、温水洗浄器本体の下側に隠れていた便器部分に加えて、温水洗浄器本体の底面側も清掃することができ、清掃範囲が広くとれ、需要者の要求に応じた態様で清掃ができる温水洗浄装置を提供する。    【解決手段】  便器１０の後方上面に固定した取付部材２上に設置する温水洗浄器本体１が便器１０の後方側に向けて回動する温水洗浄装置Ａ。  具体的には、後方側にロータンクが設置される便器１０の場合には、便器１０に固定する取付部材２に対して連結部材３を便器１０の前方側に移動できるように取付け、連結部材３に温水洗浄器本体１を取付けて、連結部材３に取付けられた温水洗浄器本体１を便器１０の前方側に移動させた状態で、温水洗浄器本体１を連結部材３に設けられた回転軸１２により便器１０の後方側に向けて回動させる。    【選択図】  図５
2006063522.tif 000002
【特許請求の範囲】
【請求項１】
便器の後方上面に固定した取付部材上に設置する温水洗浄器本体が、前記便器の後方側に向けて回動する温水洗浄装置。
【請求項２】
取付部材が、便器側に取付けられる第１の取付部材と、温水洗浄器本体側に取付けられる第２の取付部材と、上記第２の取付部材を第１の取付部材に対して回動可能とする回転軸を備え、この回転軸により温水洗浄器本体が便器の後方側に向けて回動する請求項１記載の温水洗浄装置。
【請求項３】
便器に固定した取付部材に対して、連結部材を便器の前方側に移動できるように取付け、この連結部材に温水洗浄器本体を取付けて、連結部材に取付けた温水洗浄器本体を便器の前方側に移動させた状態において、前記温水洗浄器本体を連結部材に設けられた回転軸により便器の後方側に向けて回動させる請求項１記載の温水洗浄装置。
【請求項４】
連結部材が、取付部材側のスライダと、温水洗浄器本体側のスライダと、上記両方のスライダを回転軸を介して回動可能に連結されるリンク部材を備え、上記回転軸が、互いに平行な第１回転軸及び第２回転軸との２軸を備える請求項３記載の温水洗浄装置。
【発明の詳細な説明】
【技術分野】
【０００１】
本発明は、便器上に設置され、人体局部を温水にて洗浄する温水洗浄装置に関する。
【背景技術】
【０００２】
温水洗浄器本体を固定ボルトとナットあるいはネジを使用して便器の後方上面に固定した温水洗浄装置では、温水洗浄器本体を簡単に着脱することができず、このため温水洗浄器本体と便器との間を清掃する場合には多くの時間を要するので、近年では、温水洗浄器本体を便器に設置された状態から移動可能とした温水洗浄装置や、温水洗浄器本体を便器から容易に着脱可能としたものが知られている。
【０００３】
上記で述べたもののうち図９の平面図に示す前者の温水洗浄器本体１０１を便器１０に設置された状態から移動可能とした温水洗浄装置９０ａは、便器１０の後部上面に取付ベース９２が２本の固定ボルト８によって取付けられおり、温水洗浄器本体１０１と取付ベース９２との間には、温水洗浄器本体１０１が自在に移動可能な構造を持つ連結機構９３が設けられ、両者を連結している。また、温水洗浄器本体１０１と取付ベース９２は係止手段によって、第１位置（設置位置）から動かないように係止されており、移動させる場合には係止手段を解除するようになっている。
【０００４】
そして、取付ベース９２と温水洗浄器本体１０１が係止状態の時、すなわち、温水洗浄器本体１０１が便器１０に係止されている第１位置から便器手前に移動する場合は、取付ベース９２に温水洗浄器本体１０１と係止している係止手段を解除し、温水洗浄器本体１０１を手前に引く。すると、連結機構９３が伸びることから、温水洗浄器本体１０１の底面に隠れていた便器１０の後方の上面部分がすべて露出する便器手前の第２位置（図９に示す位置）まで移動する。
この時、温水洗浄器本体１０１は、連結機構９３により便器１０の上面の第２位置よりも更に移動することが阻止されており、清掃の際に温水洗浄器本体１０１が便器１０から落下することを防止する構造としている。（特許文献１参照）。
【０００５】
また、図１０の平面図に示す後者の温水洗浄器本体１０１を便器１０から着脱可能な構成とした温水洗浄装置９０ｂでは、便器１０の後部上面に取付ベース９４が２本の固定ボルト８によって取付けられており、取付ベース９４には、便器１０の前後方向とはほぼ直交する方向（図１０において左右方向）に摺動可能なロックレバー９５が取付けられている。このロックレバー９５には係止片９６があり、温水洗浄器本体１０１に設けられた突起部９７に係合するようになっており、ロックレバー９５は、引っ張りスプリング９１により図１０中の右方向に付勢されており、ロックレバー９５の自由状態で突起部９７と係止片９６とが係合する。
【０００６】
そして、取付ベース９４から温水洗浄器本体１０１を取り外す場合には、まず、ロツクレバー９５を引っ張りスプリング９１の付勢方向とは反対の左方向（図１０中の矢印方向）に押す。
次に、ロックレバー９５を押した状態のまま、温水洗浄器本体１０１の突起部９７とロックレバー９５の係止片９６との係合が外れる位置まで温水洗浄器本体１０１を手前方向（便器前方）に引く。
これで、取付ベース９４と温水洗浄器本体１０１との係止状態が解除される。この状態から更に、温水洗浄器本体１０１を手前方向に引くと、温水洗浄器本体１０１と取付ベース９４とが外れ、温水洗浄器本体１０１は取付ベース９４から離れる。
【０００７】
以上により、便器１０の後方上面が空き、その部分の清掃が可能となり、図１０に示す温水洗浄装置９０ｂの場合は、温水洗浄器本体１０１は便器１０から完全に取り外しできるので清掃範囲が広くとれることになる。（特許文献２の図８参照）。
【特許文献１】特許第３１７７９３９号公報
【特許文献２】特開平１１−２６４１７０号公報
【発明の開示】
【発明が解決しようとする課題】
【０００８】
上記で述べたもののうち図９に示した温水洗浄装置９０ａの場合には、温水洗浄器本体１０１が便器１０に固定された状態から所定の範囲まで移動可能としているので、移動後、温水洗浄器本体１０１は便器１０の上面において取付ベース９２に係止されており、清掃の際に、温水洗浄器本体１０１が便器１０から落下するおそれはないものの、温水洗浄器本体１０１の移動距離に制限があり、しかも連結機構９３の下側および温水洗浄器本体１０１の底面部分の清掃ができないため、清掃可能範囲が制限され、清掃性が低下するという問題を有している。
【０００９】
一方、図１０に示した温水洗浄装置９０ｂでは、温水洗浄器本体１０１と便器１０とが着脱可能であり、温水洗浄器本体１０１を取付ベース９４から取り外した後、温水洗浄器本体１０１は自由に便器１０上を移動可能であるので清掃範囲が広くとれるものの、温水洗浄器本体１０１を便器１０上に係止できないので、温水洗浄器本体１０１が便器１０から床へ落下するおそれがあり、清掃の際は、温水洗浄器本体１０１を床面に置く等の処置が必要となる問題がある。
【００１０】
このように、従来の温水洗浄装置９０ａ及び９０ｂには一長一短があり、温水洗浄器本体１０１と便器１０との間の清掃を行うために、需要者はどちらか一方の清掃態様を選択せざるを得ず、このため、清掃態様について需要者の要求に充分には対応できないという問題点を有していた。
【００１１】
本発明は、温水洗浄器本体を便器から取外すことなく、温水洗浄器本体の下側に隠れていた便器部分に加えて、温水洗浄器本体の底面側も清掃することができ、清掃範囲が広くとれ、需要者の要求に応じた態様で清掃ができる温水洗浄装置を提供する。
【課題を解決するための手段】
【００１２】
本発明は、次のものに関する。
（１）便器の後方上面に固定した取付部材上に設置する温水洗浄器本体が、前記便器の後方側に向けて回動する温水洗浄装置。
（２）取付部材が、便器側に取付けられる第１の取付部材と、温水洗浄器本体側に取付けられる第２の取付部材と、上記第２の取付部材を第１の取付部材に対して回動できるように回転軸を備え、この回転軸により温水洗浄器本体が便器の後方側に向けて回動する上記（１）記載の温水洗浄装置。
（３）便器に固定した取付部材に対して、連結部材を便器の前方側（前後方向とした方がよいか）に移動できるように取付け、この連結部材に温水洗浄器本体を取付けて、連結部材に取付けた温水洗浄器本体を便器の前方側に移動させた状態において、前記温水洗浄器本体を連結部材に設けられた回転軸により便器の後方側に向けて回動させる上記（１）記載の温水洗浄装置。
（４）連結部材が、取付部材側のスライダと、温水洗浄器本体側のスライダと、上記両方のスライダを回転軸を介して回動できるように連結されるリンク部材を備え、上記回転軸が、互いに平行な第１回転軸及び第２回転軸との２軸を備える上記（３）記載の温水洗浄装置。
（作用）
【００１３】
便器の後方側に温水洗浄器本体を便器の後方側に向けて回動するときの障害となるロータンクが配置されない方式の便器の場合には、温水洗浄器本体は便器に設置された状態のままで、便器の後方側に向けて回動される。
また、便器の後方側にロータンクが設置される場合には、便器に固定した取付部材に対して連結部材を便器の前方側の方向に移動できるように取付け、この連結部材に温水洗浄器本体を取付けて、一旦、温水洗浄器本体を便器の前方側に移動させた状態において、温水洗浄器本体を連結部材に設けられた回転軸により便器の後方側に向けて回動される。
【発明の効果】
【００１４】
本発明の温水洗浄装置によれば、温水洗浄器本体を便器から取外すことなく、便器上の温水洗浄器本体を便器の後方側に向けて回動できるため、温水洗浄器本体を回動して略垂直の状態で温水洗浄器本体の底面も清掃することができ、温水洗浄器本体と便器との間の部分の清掃に加え、温水洗浄器本体の底面側の清掃も可能となって清掃範囲が広くなり、温水洗浄器本体と便器との間の部分の清掃、温水洗浄器本体底面側の清掃、及びこれら両方の清掃など需要者の要求に応じた態様で清掃ができる。
また、請求項３記載の温水洗浄装置によれば、温水洗浄器本体を便器の前方側に移動させた状態において便器の後方側に向けて回動させるので、便器の後方側にロータンク等が位置される配置形式においても、温水洗浄器本体を回動することができる。
さらに、請求項４記載の温水洗浄装置によれば、温水洗浄器本体全体を持ち上げながら回動させる必要がある回転軸が一軸の場合に比べて、回転軸が二軸の場合は、温水洗浄器本体自体の重量をあまり感じることなく回動することができ、温水洗浄器本体の回動作業が容易となる。
【発明を実施するための最良の形態】
【００１５】
一般的に便器の後方側にはロータンクが位置して設置されることが多いが、便器の後方側に温水洗浄器本体を回転させるときに障害となるロータンク等がない場合は、便器の後方上面に固定する取付部材を、例えば、一対の羽根板を回転軸により回転可能に連結したドア用蝶番のような形状に形成して、一方の羽根板を便器の上面に固定し、他方の羽根板を温水洗浄器本体の底面側に固定して、温水洗浄器本体を便器上の設置位置で便器の後方側に向けて回動できる構造とする。
【００１６】
また、便器の後方側にロータンクが設置される場合、温水洗浄器本体を便器に設置された状態のままで温水洗浄器本体を便器の後方側へ回動するとロータンクが回動の障害となる。
そこで、この場合には、実施例の図３を用いて説明すると、便器１０後方の上面に固定される取付部材２と、この取付部材２に対して温水洗浄器本体１を設置位置から移動自在に連結する連結部材３（スライダ）を設けた温水洗浄装置とし、温水洗浄器本体１を上記の連結部材３（スライダ）に対して移動方向に案内する第１案内手段（第１係入溝１５及び第１ガイド部２０）と、前記の取付部材２に対して連結部材３（スライダ）を移動方向に案内する第２案内手段（第２係入溝１７及び第２ガイド部２１、（図２参照））と、前記取付部材２に対して温水洗浄器本体１を前記の設置位置で前記取付部材２に解除可能に係止する係止手段（係止突起部１６及び係合部２５）と、前記連結部材３（スライダ）と温水洗浄器本体１とを解除可能に連結する第１連結手段（第１弾性爪１１及び係合突起部１９）と、前記連結部材３（スライダ）と前記取付部材２とを解除可能に連結する第２連結手段（ストッパ６及び当接端部１８（図４参照））とを備えるようにする。ここで、前記連結部材３（スライダ）は、前記取付部材２側のスライダ３ａと、温水洗浄器本体１側のスライダ３ｂとに別れており、連結部材３（スライダ）の移動方向に対して略垂直方向に回転軸１２を有し、回転軸１２は温水洗浄器本体１が前記取付部材２から解除された状態で、温水洗浄器本体１が回動可能な位置に設けられているようにするのが好ましい。
【００１７】
上記で述べた形態において、便器１０や温水洗浄装置Ａを清掃する場合には、まず、係止手段（係止突起部１６及び係合部２５）の係止状態を解除して、温水洗浄器本体１を取付部材２から移動可能な状態にし、温水洗浄器本体１を便器１０の前方に引き寄せる。
温水洗浄器本体１は、第１案内手段（第１係入溝１５及び第１ガイド部２０）及び第２案内手段（第２係入溝１７及び第２ガイド部２１（図２参照））に沿って、連結部材３とともにその移動方向に案内される。
連結部材３（スライダ）は取付部材２及び温水洗浄器本体１に対して、それぞれ第１連結手段（第１弾性爪１１及び係合突起部１９）と、第２連結手段（ストッパ６及び当接端部１８（図４参照））とにより連結状態にあるので、所定範囲以上は移動できないように制限される。
【００１８】
従って、温水洗浄器本体１が便器１０から落下することがなく、温水洗浄器本体１を設置位置から移動させることができる。
温水洗浄器本体１の設置位置における温水洗浄器本体１の下を清掃する場合には、このように、温水洗浄器本体１を移動させて清掃する。
【００１９】
しかし、この状態では、温水洗浄器本体１の下側（底面）は清掃できない。
そこで、温水洗浄器本体１の下側を清掃する場合は、連結部材３（スライダ）の回転軸１２を中心に温水洗浄器本体１を後方（設置位置方向）に回動させ、温水洗浄器本体１を便器１０から離すことができるため便器１０を容易に清掃することが可能となる。
【００２０】
すなわち、温水洗浄器本体１が回動することにより便器１０から離すことができるため、簡易な構成で且つ容易に需要者が要求する清掃態様の温水洗浄装置Ａとすることが可能となる。
【実施例】
【００２１】
以下、図１乃至図８を参照しながら本発明による温水洗浄装置の実施例を詳細に説明する。
図１〜図５は本発明による温水洗浄装置の第一実施例を示し、図１は温水洗浄装置における温水洗浄器本体を取付部材に係止して便器上に設置した状態の平面図、図２は図１に示す設置位置における温水洗浄装置と便器との取付け部分の詳細を示す縦断面図、図３は図１に示した状態から温水洗浄器本体を便器の前方側に移動させた状態の平面図、図４は図３に示した状態における温水洗浄器本体と連結部材（スライダ）と取付部材との連結状態を示す拡大平面図、図５は図３に示した状態で温水洗浄器本体を便器の後方側に向け回動した状態の部分断面図である。なお、図１、図３及び図４は、便座、便蓋等を省略し温水洗浄器本体の下側を透視して示した図面である。
図５及び図６は本発明による温水洗浄装置の第二実施例を示し、図６は温水洗浄器本体を取付部材に係止して便器上に設置した状態の平面図、図７は温水洗浄器本体を便器の前方側に移動した上で温水洗浄器本体を便器の後方側に向け回動した状態（温水洗浄器本体を略垂直な状態に回動させた状態）の部分断面図である。図８は第１実施例による温水洗浄装置の温水洗浄器本体を略垂直な状態に回動した斜視図である。
（第一実施例）
【００２２】
図１において、取付部材２は、便器１０の後部上面に固定されており、便器１０に設けられた一対の穴に対向した位置で、取付部材２に２本の固定ボルト８を長孔７に挿入し、ナット２６（図２を参照）により固定される。
長孔７は、便器１０の前後方向（図１の上下方向）に延出しており、固定位置調整が可能になっている。
【００２３】
また、取付部材２の両側部には、係止突起部１６が突設されており、後述する温水洗浄器本体１のロックバー５から突設した係合部２５と係合するようなっている。
【００２４】
図３に示すように、温水洗浄器本体１には、第３係入溝１４が前後方向に延出されており、この第３係入溝１４に固定ボルト８の頭部が温水洗浄器本体１の後部水平方向より挿入可能となっている。
そして、固定ボルト８の頭部がこの第３係入構１４に係入することにより、温水洗浄器本体１は、取付部材２に対して案内可能に係合されている。
【００２５】
また、温水洗浄器本体１には、温水洗浄器本体１を取付部材２に解除可能に係止するロックバー５と、このロックバー５の摺動を操作する解除レバー４が設けられている。
このロックバー５は、便器１０の前後方向に対して直交方向である左右方向（図１における左右方向）に摺動可能に設けられており、且つこのロックバー５は、スプリング９により左方向に付勢されている。
また、ロックバー５には、上述の取付部材２の係止突起部１６に対応する位置に係合部２５が突設されており、温水洗浄器本体１が設置位置で取付部材２に係止されるようになっている。
【００２６】
解除レバー４は、温水洗浄器本体１に取付けられたレバー軸１３を中心に回動可能に取り付けられており、解除レバー４の作動端２４はロックバー５に軸支され、操作端２３は人の手によって回動操作されるようになっており、操作端２３は温水洗浄器本体１の右側端付近まで伸びている。
【００２７】
取付部材２と温水洗浄器本体１とは、連結部材３（スライダ）により連結されており、取付部材２に対して温水洗浄器本体１を便器１０の前方向の所定の範囲まで移動可能としていると共に、連結部材３（スライダ）は取付部材２側のスライダ３ａと温水洗浄器本体１側のスライダ３ｂに分かれており、これらは平行ピンにより回動自在に結合されることにより回転軸１２となり、温水洗浄器本体１の略後方下端部を中心に温水洗浄器本体１は便器１０から離れる方向で回動を可能としている。
なお、この連結部材３（スライダ）は、温水洗浄器本体１及び取付部材２のそれぞれに対して、前後方向に摺動可能に係合されている。
【００２８】
連結部材３（スライダ）と温水洗浄器本体１との係合は、上述の第３係入溝１４よりも内側に設けられた第１係入溝（第１案内手段）１５と、スライダ３に設けられた突状の第１ガイド部（第１案内手段）２０とによりなされており、温水洗浄器本体１に対して、連結部材３（スライダ）を前後方向に移動可能に案内している。
すなわち、第１係入溝１５は、温水洗浄器本体１の裏面側で前後方向に延出されており、連結部材３（スライダ）に対して温水洗浄器本体１が前後方向に移動可能である。
【００２９】
また、連結部材３（スライダ）には、図４に示すように、その先端部（前方向）に係合突起部１９が突設されている。
一方、温水洗浄器本体１にはその後端部（後方向）に弾性変形可能な第１弾性爪１１が設けられており、これらの係合突起部１９と、第１弾性爪１１が相互に係合することにより第１連結手段を構成し、連結部材３（スライダ）に対して温水洗浄器本体１の移動が制限され、抜け止めがされている。
なお、温水洗浄器本体１に対して連結部材３（スライダ）を外す場合には第１弾性爪１１及び１２を弾性変形させて撓ませることにより、連結部材３（スライダ）と温水洗浄器本体１との連結を解除する。
【００３０】
一方、連結部材３（スライダ）と取付部材２とは、取付部材２に設けられた第２係入溝１７と、連結部材３（スライダ）に設けられた第２ガイド部２１（図２を参照）とで第２係合手段を構成しており、取付部材２に対して連結部材３（スライダ）が移動可能になっている。
【００３１】
連結部材３（スライダ）には、その後端部に弾性変形可能なストッパ６が突設されており、取付部材２の第２係入溝１７に形成された当接端部１８に係合するようになっている。これらのストッパ６と、当接端部１８とが相互に係合することにより、取付部材２に対して連結部材３（スライダ）の移動が制限され、抜け止めがされている。
【００３２】
なお、連結部材３（スライダ）のストッパ６の対応する位置には、操作孔２２が設けられており、これらの操作孔２２からドライバ等の治具を挿入してストッパ６を容易に外すことができるようになっている。
なお、取付部材２に対して連結部材３（スライダ）３を外す場合には、ストッパ６を弾性変形させて撓ませることにより、取付部材２と連結部材３（スライダ）との連結が解除されるようになっている。
【００３３】
上述した取付部材２と連結部材３（スライダ）とを係合した第１案内手段の摺動範囲と、連結部材３（スライダ）と温水洗浄器本体１とを係合した第２案内手段の摺動範囲とを合計した摺動範囲により、温水洗浄器本体１が便器１０に設置された状態から移動できる範囲が決められている。
【００３４】
次に、本実施例による動作について説明するが、まず、連結部材３（スライダ）を取り付けた状態における温水洗浄器本体１の移動について説明する。
【００３５】
温水洗浄器本体１を図３に示す移動後の状態から図１に示す設置位置に固定する場合には、温水洗浄器本体１を図３の状態から便器１０の後方へ移動させていくと、連結部材３（スライダ）においては、温水洗浄器本体１に連結された前部と、取付部材２に連結された後部とが、温水洗浄器本体１に収納されるように便器１０の後方へ移動する。
【００３６】
そして、移動の途中では、温水洗浄器本体１の第３係入溝１４及び１５に固定ボルト８、８の頭部が係入され、取付部材２と温水洗浄器本体１とが直接係合し始める。
【００３７】
更に、温水洗浄器本体１を便器１０の後方へ押し込むと、温水洗浄器本体１に配置されたロックバー５の係合部２５が、取付部材２に設けられた係止突起部１６の傾斜面に沿って当接しながら移動することにより、スプリング９の付勢力に抗して、ロックバー５が右方向へ移動する。
そして、ロックバー５の係合部２５が、係止突起部１６を乗り越える位置まで温水洗浄器本体１を移動すると、ロックバー５はスプリング９の付勢力により左方向に移動し、図１で示すように温水洗浄器本体１と取付部材２は係止状態となる。
すなわち、取付部材２の係止突起部１６とロックバー５の係合部２５との係合が自動的に完了する。
この間、連結部材３（スライダ）は、温水洗浄器本体１の下に収納され、温水洗浄器本体１と連結部材３（スライダ）と取付部材２は相互に重なった状態となり、温水洗浄器本体１が便器１０の設置位置で固定される。
【００３８】
次に、便器１０や温水洗浄装置Ａを清掃する場合等に温水洗浄器本体１を図１に示す設置位置から図３に示す位置に移動させる場合について説明する。
【００３９】
この場合には、図１に示すように、取付部材２と温水洗浄器本体１の係止状態を解除し、温水洗浄器本体１を図１に示す設置位置から手前に移動させるが、まず、温水洗浄器本体１の右端付近まで伸びた解除レバー４の操作端２３を手前方向に引く。そうすると、温水洗浄器本体１に設けられたレバー軸１３を中心に解除レバー４が時計方向（右回転方向）に回動し、その作動端２４にリンクしているロックバー５は、スプリング９の付勢力に抗して付勢方向とは反対の右方向に移動する。
これにより、ロックバー５の係合部２５と、取付部材２の係止突起部１６の係合が外れる。
【００４０】
更に、解除レバー４の操作端２３を手前に引きながら、ロックバー５の係合部２５と、取付部材２の係止突起部１６との係合が完全に外れる位置まで温水洗浄器本体１を手前方向に移動させると温水洗浄器本体１と取付部材２の係止状態が解除される。
【００４１】
更に、温水洗浄器本体１を手前方向（前方向）に引くと、図４に示すように、第１係入溝１５に対して連結部材３（スライダ）に設けられた突状の第１ガイド部２０が案内され、連結部材３（スライダ）に対して温水洗浄器本体１が移動を続ける。
一方、連結部材３（スライダ）と取付部材２とでは、取付部材２に設けられた第２係入溝１７と、連結部材３（スライダ）に設けられた第２ガイド部２１（図２を参照）とにより、取付部材２に対して連結部材３（スライダ）の移動が案内される。
【００４２】
そして、取付部材２に対して温水洗浄器本体１が所定距離移動して、図３に示す位置まで達すると、連結部材３（スライダ）と温水洗浄器本体１とでは、図４に示すように、弾性変形可能な第１弾性爪１１及び１２が係合突起部１９に相互に係合することにより、連結部材３（スライダ）に対して温水洗浄器本体１の移動が制限され、それ以上移動できなくなる。また、これにより抜け止めがされている。
【００４３】
一方、連結部材３（スライダ）と取付部材２とでは、ストッパ６と、当接端部１８とが相互に係合することにより、取付部材２に対して連結部材３（スライダ）の移動が制限され、それ以上移動できなくなり、これにより上述の温水洗浄器本体１の場合と同様に抜け止めがされている。
【００４４】
このように、温水洗浄器本体１は、連結部材３（スライダ）と温水洗浄器本体１との間及び連結部材３（スライダ）と取付部材２との間にそれぞれ設けられた抜け止めにより決められる移動限界位置まで移動し、移動が完了する。
【００４５】
この状態で、スライダ３ａとスライダ３ｂを回動自在に結合した回転軸１２を中心に温水洗浄器本体１を図５に示すように便器１０の後方に回動すると、温水洗浄器本体１を便器１０から離すことができる。また、スライダ３ａ、スライダ３ｂおよび回転軸１２の位置および数を適切にすることにより、温水洗浄器本体１を略垂直な姿勢で自立させることも可能である。
【００４６】
これら一連の動作により、図８に示すように、温水洗浄器本体１が便器１０に設置された移動前の位置で温水洗浄器本体１の下側に隠れていた部分はもとより温水洗浄器本体１が引き出された位置での底面に隠れた部分すべて露出することができる。
【００４７】
これにより、温水洗浄器本体１を移動させた後に、便器１０上面の清掃ができる。
この時、温水洗浄器本体１は連結部材３（スライダ）により取付部材２と連結状態にあり、便器１０上面に位置する状態にあるので、便器１０上面から落下する心配はない。
（第二実施例）
【００４８】
上記の第一実施例で説明した取付部材２側のスライダ３ａと、温水洗浄器本体１側とのスライダ３ｂとの２つに分かれて形成されたスライダ３ａとスライダ３ｂ同士を一本の回転軸１２で回動可能に連結した連結部材３（スライダ）に代えて、第二実施例では、図６に示すように、取付部材側のスライダ３ａと温水洗浄器本体側のスライダ３ｂに加えて、これら両方のスライダ３ａをスライダ３ｂを第１回転軸１２と第２回転軸１２との二本の回転軸を介して回動可能に連結するリンク部材３ｃを備えて、上記２本の回転軸１２と１２が互いに平行とした２軸からなる構造の連結部材３を用いた構成の温水洗浄装置とした。なお、上記の連結部材以外は、第一実施例と同じ構成とした。
【００４９】
前記の第一実施例で説明した回転軸が一軸の場合は、温水洗浄器本体を回動させる際、一つの回転軸で回動させなければならず、スライダや温水洗浄器本体の破損を防止するために温水洗浄器本体を持ちながら回動させる必要があるが、これに比べて上記の第二実施例のように回転軸を二軸とすると、温水洗浄器本体を便器の後方側に回動する際、温水洗浄器本体の底面、後端部を支点にでき、温水洗浄器本体自体の重量をあまり感じることなく回動することが可能となり、温水洗浄器本体の回動作業がより容易となる効果が得られる。
（第三実施例）
【００５０】
図面は省略したが、便器の後方側にロータンク等がない設置方式の便器上に設置する温水洗浄装置の場合は、便器の後方上面に固定する取付部材は、一対の羽根板を回転軸により回転可能に連結したドア用蝶番のような形状に形成し、一方の羽根板を便器の上面に固定し、他方の羽根板を温水洗浄器本体の底面側に固定して、温水洗浄器本体を便器上の設置位置で便器の後方側に向けて回動できる構成とした。
【図面の簡単な説明】
【００５１】
【図１】本発明による温水洗浄装置の第一実施例を示し、温水洗浄装置の温水洗浄器本体が取付部材に係止された状態を示す平面図である。
【図２】図１に示す設置位置における温水洗浄装置と便器との取付け部分の詳細を示す縦断面図である。
【図３】図１に示した状態から温水洗浄器本体を便器の前方側に移動させた状態の平面図である。
【図４】図３に示した状態における温水洗浄器本体と連結部材（スライダ）と取付部材との連結状態を示す拡大平面図である。
【図５】図３に示した状態から温水洗浄器本体を便器の後方側に向け略垂直な状態に回動した状態の部分断面図である。
【図６】本発明の第二実施例による温水洗浄装置を示し、温水洗浄器本体を取付部材に係止して便器上に設置した状態の平面図である。
【図７】本発明の第二実施例による温水洗浄装置の温水洗浄器本体を便器の前方側に移動した上で温水洗浄器本体を便器の後方側に向け回動した状態（温水洗浄器本体を略垂直な状態に回動させた状態）の部分断面図である。
【図８】本発明による温水洗浄装置の温水洗浄器本体を略垂直な状態に回動した斜視図である。
【図９】従来例による温水洗浄装置の温水洗浄器本体を取付ベースから移動させた状態の平面図である。
【図１０】別の従来例による温水洗浄装置の温水洗浄器本体を取付ベースから外した状態の平面図である。
【符号の説明】
【００５２】
Ａ  温水洗浄装置                            １  温水洗浄器本体
２  取付部材（取付ベース）                  ３  連結部材（スライダ）
３ａ，３ｂ  スライダ                          ３ｃ  リンク部材
４  解除レバー                              ５  ロックバー
６  ストッパ（第２連結手段）                ７  長孔
８  固定ボルト                              ９  スプリング
１０  便器                                  １１  第１弾性爪（第１連結手段）
１２  回転軸                                １３  レバー軸
１４  第３係入溝（第３案内手段）            １５  第１係入溝（第１案内手段）
１６  係止突起部（係止手段）                １７  第２係入溝（第２案内手段）
１８  当接端部（第２連結手段）              １９  係合突起部（第１連結手段）
２０  第１ガイド部（第１案内手段）          ２１  第２ガイド部（第２案内手段）
２２  操作孔                                ２３  操作端
２４  作動端                                ２５  係合部（係止手段）
２６  ナット                      ９０ａ，９０ｂ  温水洗浄装置（従来例）
９１  引っ張りスプリング                    ９２  取付ベース
９３  連結機構                              ９４  取付ベース
９５  ロックレバー                          ９６  係止片
９７  突起部                              １０１  温水洗浄器本体
【図１】
2006063522.tif 000003
【図２】
2006063522.tif 000004
【図３】
2006063522.tif 000005
【図４】
2006063522.tif 000006
【図５】
2006063522.tif 000007
【図６】
2006063522.tif 000008
【図７】
2006063522.tif 000009
【図８】
2006063522.tif 000010
【図９】
2006063522.tif 000011
【図１０】
2006063522.tif 000012